(57)【特許請求の範囲】
【請求項１】
フィルム形成性ポリマー成分と反応性末端基を有する疎水性ポリマーブロックとを含むコポリマーフィルムであって、前記フィルムは疎水性、荒さ又は硬度又はその他の物理化学的に異なったパッチの変動した性質のドメインを特徴とする不均一性表面を有し、フィルム形成性ポリマー成分がポリウレタンであり、そして疎水性ポリマーブロックがポリラクトン‐ポリシロキサン‐ポリラクトントリブロックコポリマーであり、
前記ドメインが０．１ｎｍ〜１００ｎｍの範囲の平均直径を有する、前記コポリマーフィルム。
【請求項２】
縮合前のフィルム形成性ポリマー上の−ＮＣＯ基に対する疎水性ブロック上の−ＯＨ基の割合が０．１〜１０．０の範囲にある、請求項１のフィルム。
【請求項３】
フィルム形成性ポリマー成分が本質的にイソシアネートとポリオールの混合物からなる、請求項１のフィルム。
【請求項４】
フィルム形成性ポリマー成分と、このフィルム形成性ポリマー成分と反応性の末端基を有する疎水性ポリマーブロックを、溶剤としてメチルイソブチルケトンの存在下で、全成分が溶剤中に溶解されるように、合わせ、ここで、フィルム形成性ポリマー成分がポリウレタンであり、そして疎水性ポリマーブロック成分がポリラクトン‐ポリシロキサン‐ポリラクトントリブロックコポリマーであり、
溶剤中に溶解された成分を、成分が溶剤中で互いに反応するのを許す条件下でインキュベートし、溶液をガス抜きし、そして
溶液を、被覆されるべき表面の上に、溶剤が蒸発するのを許す条件下で、展着させることによって、フィルムを形成する、
諸工程を含む、コポリマーフィルムの製造方法。
【請求項５】
反応前の、フィルム形成性ポリマー上の−ＮＣＯ基に対する疎水性ブロック上の−ＯＨ基の割合が０．１〜１０．０の範囲にある、請求項４の方法。
【請求項６】
フィルム形成性ポリマー成分が本質的にイソシアネートとポリオールの混合物からなる、請求項４の方法。
【請求項７】
フィルムを形成する工程が、溶液を物品の表面の上に展着させることによって行われる、請求項４の方法。
【請求項８】
フィルムを形成する工程が、フィルムによって被覆されるべき物品を溶液の中に浸漬し次いで物品を取り出して溶剤を蒸発させることによって行われる、請求項４の方法。
【請求項９】
溶液が、ポリオール、又はポリラクトン‐ポリシロキサン‐ポリラクトントリブロックコポリマーを含む層によってプレコーティングされている表面の上に、展着される、請求項７の方法。
【請求項１０】
フィルムによって被覆されるべき物品が、ポリオール、又はポリラクトン‐ポリシロキサン‐ポリラクトントリブロックコポリマーを含む層によってプレコーティングされる、請求項７の方法。
【請求項１１】
表面を生体適合性コポリマーフィルムで被覆する方法であって、
フィルム形成性ポリマー成分及びこのフィルム形成性ポリマー成分と反応性の末端基を有する疎水性ポリマーブロック成分を含む溶液によって表面を覆い、ここで、フィルム形成性ポリマー成分がポリウレタン形成性成分であり、そして疎水性ブロック成分がポリラクトン‐ポリシロキサン‐ポリラクトントリブロックコポリマーであり、成分は溶剤であるイソブチルケトンの中に、成分が溶液中で互いに反応するのを許す条件下で、溶解されており、溶液をガス抜きし、
表面を覆う溶液から溶剤を除去し、それによってコポリマーフィルム被覆が表面上に形成される、
諸工程を含む、前記方法。
【請求項１２】
反応前の、フィルム形成性ポリマー上の−ＮＣＯ基に対する疎水性ブロック上の−ＯＨ基の割合が０．１〜１０．０の範囲にある、請求項１１の方法。
【請求項１３】
フィルム形成性ポリマー成分が本質的にイソシアネートとポリオールの混合物からなる、請求項１１の方法。
【請求項１４】
表面が、ポリオール、又はポリラクトン‐ポリシロキサン‐ポリラクトントリブロックコポリマーを含む層によってプレコーティングされている、請求項１１の方法。
【請求項１５】
生体適合性コポリマーフィルムを形成する前に、プレコーティングの上にフィルムを形成する追加の工程を含む、請求項１４の方法。
【請求項１６】
血液、組織又は体液と接触することを意図された表面を有する物品であって、前記表面を覆うコポリマーフィルムを有し、コポリマーフィルムはフィルム形成性ポリマー成分及び反応性末端基を有する疎水性ポリマーブロックを含み、ここでフィルム形成性ポリマーがポリウレタンであり、そして疎水性ポリマーブロックがポリラクトン‐ポリシロキサン‐ポリラクトントリブロックコポリマーであり、前記フィルムは疎水性、荒さ又は硬度の変動した性質のドメインを特徴とする不均一性表面を有し、前記ドメインが０．１ｎｍ〜１００ｎｍの範囲の平均直径を有する、前記物品。
【請求項１７】
縮合前の、フィルム形成性ポリマー上の−ＮＣＯ基に対する疎水性ブロック上の−ＯＨ基の割合が０．１〜１０．０の範囲にある、請求項１６の物品。
【請求項１８】
ポリオール、又はポリラクトン‐ポリシロキサン‐ポリラクトントリブロックコポリマーを含む第一被覆を有し、前記第一被覆がコポリマーフィルムの下にある、請求項１６の物品。
【請求項１９】
第一被覆の上にありそしてコポリマーフィルムの下にある中間層フィルムを更に含む、請求項１８の物品。
【請求項２０】
血液、組織又は体液と接触することを意図された表面を有する物品であって、前記表面を被覆する生体適合性コポリマーフィルムを有し、そして前記フィルムが請求項１１の方法によって表面上に被覆されている、前記物品。
【発明の詳細な説明】
【０００１】
（関連出願のクロス・リファレンス）
本願は１９９８年１０月１３日に出願されたＵＳ仮出願Ｎｏ．６０／１０４，００１号による優先権を主張する。
【０００２】
（発明の背景）
本発明は生体組織又は体液と接触して使用される生物医学的デバイスの多くが生体適合性でない合成又は天然由来の素材から作られているという基本的問題に関連している。生体適合性の欠如によって凝血塊(blood clotting)ばかりでなく炎症や組織活性化のその他様々な徴候が導かれることがある。
【０００３】
加えて、微生物による感染がデバイス表面に進行することがある。表面に転移増殖してバイオフィルムを形成する細菌のような感染性病原体は根絶が非常に難しいことを証拠だてることができる。[Costerton, J.W. et al. (1999) Science 284: 1318-1322]。埋め込まれたステント類(stents)又は内在するカテーテルのような長期間の接触を意図されたデバイスは、ホスト細胞接着の表面として作用することもでき、ホスト細胞が活性化されて増殖すること又は正常な生理的機能を変化させること及び例えばデバイスを通る液流を制限することによってデバイスの機能又は意図された用途を制限する場合がある。
【０００４】
生体適合性を改良するために従来使用された手法はデバイスの表面を改質してそれをより疎水性にすることに基づいていた。他方では、少なくとも一部分の表面をより親水性にすることによって増大された生体適合性を達成できる。シリコーンやシロキサンのような或るタイプのポリマーは生体適合性の多数の属性を有することが知られているけれども、任意の確実度をもって生体適合性を予測することを可能にさせる信頼できる物理的相関関係がない。一般的に、疎水性表面は親水性表面よりも生体適合性である。ジスマン(Zisman)の臨界表面張力[Zisman, W.A., (1964) Adv. Chem. Ser. 43] は潜在的な生体適合性を評価するのを助けるパラメーターとして使用されてきた。最適臨界表面張力をもつ材料はしばしば生体適合性であるが、なお注目すべき例外が存在する。例えば、ポリエチレン及びポリプロピレンは最適範囲内に十分に入る臨界表面張力を有するが、それらは予測したようには生体適合性ではない。他の因子も重要である。これら因子の性質の明確な理解なしには、生体適合性を予測することはできない。
【０００５】
ポリオレフィン及びポリウレタンの魅力的な構造用特性ゆえに、より高い生体適合性を付与するために様々な配合及び共重合の技術が開発されてきた。米国特許第４，８７２，８６７号には、ポリウレタンを水溶性ポリマーによって改質し次いでその場でシラン型カップリング剤と交叉させて交叉結合され絡み合わされたポリシロキサン網目構造を生成することが開示されている。米国特許第４，６３６，５５２号には、基材ポリマーと組み合わされたとき又は可塑剤を置換するのに使用されたとき生体適合性を付与するのに有効であると言われるポリラクトン側鎖をもつポリジメチルシロキサンが開示されている。米国特許第４，９２９，５１０号には、より疎水性であるブロックとより疎水性でないブロックとを有するジブロックコポリマーが開示されている。マトリックスポリマーを膨潤させる溶剤の中のジブロックポリマーの溶液を使用してジブロックをマトリックスポリマーの物品の中に導入させている。その後、物品を水に移して、この組み込まれたジブロックコポリマーの配向を、より疎水性のブロックがマトリックスの中に埋込まれそしてより疎水性でないブロックが物品の表面に露出されるように、仕向けている。ジブロックコポリマーの例はポリ（エチレンオキシド‐プロピレンオキシド）、Ｎ−ビニルピロリドン‐酢酸ビニル及びＮ−ビニルピロリドン‐スチレンを包含する。米国特許第４，６６３，４１３号及び第４，６７５，３６１号には、セグメントブロックコポリマー、特に、ポリシロキサン‐ポリカプロラクトン直鎖ブロックコポリマーが開示されている。後者は基材ポリマー素材の中に組み込まれてその表面特性を改質した。最初に基材ポリマーの中にバルクでブレンドされても、コポリマーは表面に移行して所期の表面特性特に生体適合性を付与する非常に薄い多分、単層のフィルムを形成する。
【０００６】
両側にポリラクトン（ＰＬ）ブロックのあるポリジメチルシロキサン（ＰＤＭＳ）を有するトリブロックコポリマーはLovinger, A.J. et al. (1993) J. Polymer Sci. Part B. (Polymer Physics) 31: 115-123に開示されている。かかるトリブロックコポリマーはバルク配合物の中に組み込まれており、そしてまた、本願明細書中に組み入れられる米国特許第５，７０２，８２３号に記載されているように表面被覆材として適用されて血栓形成性(thrombogenicity) を低減させる。ＰＬ−ＰＤＭＳ−ＰＬトリブロックコポリマーは商業的に入手可能であり、例えば、カリフォルニア州バークレーのThoratec Laboratories からは、シロキサンがジメチルシロキサンでありラクトンがカプロラクトンである一連のかかるポリマーが「ＳＭＡ」との名称で提供され、そしてまた、独国エッセンのTh. Goldschmidt AGからも「テゴマー(Tegomer) 」(Goldschmidt AG の商標) の名称で入手できる。ここにおいて使用に適するポリシロキサンブロックの公称分子量（数平均）は約１０００〜約５０００の範囲であり、カプロラクトンブロックの公称分子量は約１０００〜約１０，０００の範囲にある。Tsai, C-C. et al (1994) ASAIO Journal 40: M619-M824 は、ポリ塩化ビニル及びその他の基材ポリマーの中にブレンドされた又はそれらの上を被覆するものとして適用されたＰＬ−ＰＤＭＳ−ＰＬによる比較研究を報告している。
【０００７】
Deppisch, R. et al (1998) Nephrol. Dial. Transplant. 13: 1354-1359は、ポリアミド‐ポリビニル‐ピロリドン、ポリアミド‐ポリアリールエーテルスルホン‐ポリビニルピロリドン又はポリアリールエーテル‐ポリビニルピロリドンのフィルム又は膜構造について血栓形成特性が改善されることを報告している。改善された血栓形成特性は疎水性と親水性の表面パッチのマイクロドメイン(microdomain) 表面構造に起因するとされている。
【０００８】
米国特許第５，５８９，５６３号には、表面改質用末端基を有するポリマー、たとえば、ＰＤＭＳ又は芳香族ポリカーボネートのような末端基に共有結合された硬質セグメントと軟質セグメントを有するポリウレタンが開示されている。表面改質用末端基はポリマー表面に濃縮する傾向があって表面疎水性を増加させる。
【０００９】
より最近は、凝塊化、免疫反応及び微生物−ホスト細胞反応を導く、生物学的物質と人工素材の間の相互作用はより複雑な過程であるが人工素材の表面疎水性が１つのファクターであることが認識されている。生物学的素材と外来物質の間の相互作用は、最低限、補体システムの成分との、カリクレイン‐カイニンシステムとの、凝結開始の固有経路との、血小板との、及び末梢血液細胞例えば単球及び顆粒球を含めて血液のその他細胞成分との分子の相互作用を包含することが示された。
【００１０】
加えて、ポリマー表面上での微生物増殖及びホスト細胞の活性化及び／又は増殖は、特に、カテーテルやステントのような埋め込まれた又は内在する物品にとっては、潜在的に深刻な結果を伴う問題である。改善された生体適合性を有する素材の設計はかかる要因を考慮しなければならない。
【００１１】
（発明の概要）
本発明は、医療的な処置又は手順において血液、組織又は体液と接触することが意図されている合成／高分子、有機又は金属由来の任意の物品の生体適合性を改良するためのコポリマーフィルム及び方法を含んでいる。かかる物品は血液、組織又はその他の体液又はそれらの血漿又は血球及び細胞の成分と長時間又は短時間のどちらの時間接触することを意図されているかにかかわりなく、チューブ類、バッグ類、カテーテル類、ステント類、プローブ類、栄養補給管類(feeding tubes) 、ドレナージライン類、血管移植片類(vascular grafts) 、人工シャント類(artificial shunts) などを包含するが、それらに限定されない。本発明のコポリマーフィルムは従来使用の、即ちここに記載のポリマーフィルムなしの物品又は素材と比べたときに、低減された血栓形成性、低減された細菌増殖及び接着、低減された、ホスト細胞に対する毒性、及び炎症性細胞又はホスト細胞による浸潤及び接種をもたらす。
【００１２】
（発明の詳細）
本発明は未処理物品よりもより生体適合性であり且つより平滑な表面形態を有する連続表面を形成するように物品の表面上に適用することができるコポリマーフィルムに関する。一般的には、本発明のコポリマーフィルムは、ポリジメチルシロキサン（ＰＤＭＳ）のような疎水性ポリマーブロックに官能性−ＯＨ末端基を付与し、そして−ＯＨ基と反応可能なフィルム形成性ポリマーの通常のモノマー又はプレポリマーをこの−ＯＨ末端と反応させることによって形成することができる。かかる反応は、反応性ＰＤＭＳとしてポリラクトン−ポリシロキサン−ポリラクトン（ＰＬ−ＰＤＭＳ−ＰＬ）タイプのトリブロックコポリマー、又はシリコーンポリエステルを使用して例示される。ポリラクトンブロックの−ＯＨ基は適する溶剤中で多様なイソシアネートのいずれかと反応することができて、その構造をもって組み込まれたＰＤＭＳを有するポリマーを生成する。溶剤中の反応混合物によって物品を被覆しそして溶剤を蒸発させるという通常のいずれかの手段によって、物品の表面にフィルムを適用できる。
【００１３】
ポリマー内に組み込まれたＰＤＭＳブロックを有するポリマーフィルムは被覆表面を形成する。得られたフィルムはＰＬ−ＰＤＭＳ−ＰＬ単独の被覆よりも機械的に強い。フィルム結着性（integrity）によって出発材料を溶解するのに使用した溶剤と相溶性の任意の素材から作られた任意の構造を含むことが可能である。素材はそれらの最適な機械的性質を目的として選択することができ、次いで、この所望の素材から作られた物品を本発明のポリマーフィルムの中に包んで物品を生体適合性にすることができる。本発明のポリマーフィルムはそれらが物品に存在するかも知れない表面荒さを低減できるということで更に有利である。例としては、ポリウレタン系カテーテルには、Ｘ線コントラストを付与するために硫酸バリウムが添加されている。硫酸バリウムは表面荒さを増大させ、流れの乱れを誘発し又は細胞又は微生物の付着を増強する。カテーテル表面に適用されたポリマーフィルムは表面の化学的組成を変化させることによるばかりでなく表面の荒さを減少させることによっても生体適合性を増大させる。他のタイプの表面荒さ、例えば、射出成形によって又は押出によって又は先端造形中の熱加工によって又は機械的な又はレーザーによる孔あけのような機械的製造工程によって加工中に導入されたものも本発明のポリマーフィルムの適用によって低減させることができる。
【００１４】
作用についての特定の理論によって拘束されることを意図するものではないが、本発明のポリマーフィルムは生体適合性表面に関する現行の理解と一致する表面特性を有するということを実証するデータを示すことができる。かかる現行の理解は細胞、タンパク質及びその他生物学的物質は、表面と、疎水的、親水的及びイオン的又は静電的相互作用を含めて様々な仕方で非特異的に相互作用するという事実に注目しており、結合はしばしば協働的性質を有するものである。かかる相互作用の概説はDeppisch, R. et al (1998) Nephrol. Dial. Transplant 13: 1354-1359 に見いだされ、それは本願明細書に組み入れられる。従って、相互作用の機会の提供が最も少ないタイプの表面は、タンパク質や細胞などの上に通常見られる対応する相互作用性ドメインよりも小さな変動特性のドメインをもつパッチ的表面を呈するものと考えられる。本発明のコポリマーフィルムは変動した性質（varied properties）のドメインを有する不均一性表面を特徴とする。かかるドメインに関連した特性は疎水性／親水性、荒さ／平滑性、硬質／軟質などを包含する。境界が規則的である又は正確に輪郭を描かれる必要はなく、ドメインのサイズも均一である必要はなく、そして最適範囲外のドメインも目的に合うけれども、最適サイズは平均直径０．１〜１００ｎｍの範囲にある。かかる最適パッチ性（optimal patchness）を有する表面は任意の与えられた表面特性が生物学的物質の非特異結合を可能にするのに十分な接触面積を提供しない。本発明のポリマーフィルムの表面は原子間力顕微鏡検査（ＡＦＭ）によって分析された。ここに呈示された結果は例示されたかかるフィルムが０．１〜１００ｎｍの範囲内の平均直径を有する変動した疎水性と硬さのドメインをもつパッチ性表面を有することを実証している。
【００１５】
また、未処理表面に比べて、本発明のポリマーフィルムによって覆われた表面の有意に増大した生体適合性を実証するデータも呈示されている。
【００１６】
従って、本発明は、疎水性ポリマーブロックたとえば反応性−ＯＨ基を有するＰＭＤＳ含有ブロックポリマーと、フィルム形成性ポリマーのモノマー又はプレポリマー例えばイソシアネート又はイソシアネート‐ポリオール混合物との反応によって生成されたコポリマーフィルムを包含する。本発明のコポリマーフィルムを形成する仕方は多数ある。適する疎水性ポリマーブロックは様々なシロキサンポリマー、フルオロポリマー、ポリエチレングリコール‐ポリジメチルシロキサンコポリマー、シリコーンポリエステル、ポリアミド、ポリスルホン、ポリアリールエーテルスルホン、ポリカーボネート、シクロオレフィンコポリマーを含めてポリオレフィンなどを包含する。基本的には、ブロックコポリマーの全ての種類が記載の本発明のコーティングフィルムに適用できる。疎水性ポリマーブロック上の反応性末端基は、疎水性ポリマーブロックをフィルム形成性ポリマーのモノマー又はプレポリマー単位とカップリングさせるのに適するいずれの種類の反応性基であってもよい。そのほか、カップリング剤は疎水性ブロックと次いでフィルム形成性ポリマーのモノマー又はプレポリマー単位と反応するのに使用されることができる。
【００１７】
フィルム形成性ポリマーの例は、ポリウレタン、ポリオレフィン、ポリカーボネート、ポリ塩化ビニル、ポリアミド、ポリスルホン、ポリアリールエーテルスルホン、セルロースポリマー、シクロオレフィン‐コポリマーなどを包含する。好ましいのは、イソシアネートとポリオールの反応によって形成できるポリウレタン（ＰＵＲ）である。ＰＬ−ＰＤＭＳ−ＰＬはそれをポリウレタンの内部に組み込むのを遊離イソシアネート基との反応によって可能にさせる−ＯＨ基を有している。
【００１８】
本発明はまた、溶剤中の上記反応の生成物を物品の表面の上に適用し次いで溶剤を除去しそれによって溶剤が除去されたときにフィルムが形成されることによる、物品をポリマーフィルムで被覆する方法を提供する。
【００１９】
本発明は２つのタイプのポリマーフィルムによって例示される: 商業的に入手可能なＰＬ−ＰＤＭＳ−ＰＬブロックコポリマー、例えば、ＳＭＡ４２２、ＳＭＡ４２３又はＳＭＡ４２５（カリフォルニア州バークレーのThoratec Laboratories Corp. の商標）、又はシリコーンポリエステル例えばテゴマー(Tegomer) Ｈ−Ｓｉ  ６４４０（独国エッセンのTh. Goldschmit A.G. の商標）を使用して、ポリウレンタプレポリマー（デスモデュル(Desmodur)Ｅ２２又はＥ２３、Bayer Corp. の商標）との一成分反応、又はイソシアネート、ＰＬ−ＰＤＭＳ−ＰＬブロックコポリマー及びポリオールによる二成分反応、のどちらか。どちらかの反応においてもＰＬ−ＰＤＭＳ−ＰＬブロックはＰＵＲポリマー鎖の内部に組み込まれることとなる２官能性の単位として反応する。
【００２０】
ポリウレタンに対する疎水性ブロックの割合を制御するように反応条件を変動させることができる。ＯＨ／ＮＣＯ末端基の好ましいモル比は０．１〜１０の範囲にある。疎水性ブロックの割合を増加させる傾向がある反応条件は得られるフィルムの全体の疎水性を増加させ且つ疎水性パッチの平均直径を増加させる傾向もある。
【００２１】
本発明の更なる局面として、生体適合性特に低減された細胞毒性は物品の表面とコーティングフィルムとの間に中間層を設けることによって改善できる。中間層はポリオールのような遊離−ＯＨ基を有する疎水性材料又はコーティングフィルムの成分でもあるもの例えばＰＬ−ＰＤＭＳ−ＰＬ（ここでも商標によって、ＳＭＡ又はテゴマー(Tegomer) として引用される）から形成することができる。中間層例えばＰＬ−ＰＤＭＳ−ＰＬは、被覆されるべき物品を、適する溶剤例えばメチル‐イソブチルケトンの中に溶解されたＰＬ−ＰＤＭＳ−ＰＬの溶液で塗装し又はその中に浸漬し、次いで溶剤を蒸発させることによって、適用されることができる。プレコーティングと称されるこのプロセスは後で本発明のポリマーフィルムによって被覆されることができるＰＬ−ＰＤＭＳ−ＰＬの層を生じるので、このＰＬ−ＰＤＭＳ−ＰＬ被覆は物品の表面とポリマー被覆との間の中間層を形成する。中間層の形成は被覆物品例えばカテーテルの細胞毒性を減少させるのに有利であり得る: 特に、カテーテルが浸出性のイソシアネートを有するポリウレタン基材ポリマーから製造されている場合には、そうである。単層被覆からは入手できない物理的性質を有する複合体を提供するように多層フィルムをつくることもできる。
【００２２】
実施例１
工程１:
２５ｇのメチルイソブチルケトン
１．５ｇのＳＭＡ４２２(Thoratec Corp.)
軽い攪拌下で４０℃以下で約５分間温める。
ＳＭＡ４２２は、それぞれ、４０００、２０００及び４０００の公称分子量を有するポリカプロラクトン‐ポリジメチルシロキサン‐ポリカプロラクトンブロックのトリブロックコポリマーである。
工程２:
２３．５ｇのデスモジュル(Desmodur)Ｅ２２(Bayer Co.) の添加。
気泡の発生を回避するように軽く攪拌。反応は０℃〜６０℃の温度で２時間以下行うことができる。
ガス抜き
デスモジュル(Desmodur)Ｅ２２は、ジフェニルメタンジイソシアネートをベースにしたポリイソシアネートプレポリマーである。−ＮＣＯ含量は８．６重量％である。当量は４８８である。
工程３:
（ａ）ガラスプレートの上に、キャスティングナイフによって、支持ホイル例えばＰＥ（ポリエチレン、又はポリウレタンから成る射出形成プレート）を使用して又は使用せずに、様々な厚さにフィルムをキャスティングする。
（ｂ）カテーテルチューブ（ＩＤ  １〜３ｍｍ、又は他のいずれかの形状）を通して溶液を輸送することによってフィルムを形成する。重合されたフィルムは次いで走査電子顕微鏡検査によって検査された（図１参照）。
【００２３】
実施例２
工程１:
０．４５ｇのＳＭＡ４２２
２３．７ｇのポリオール（ＶＰ５１、Bayer Co.)
１５．９ｇのイソシアネート（デスモジュル(Desmodur)ＰＦ、Bayer Co.)
イソシアネートとＳＭＡ４２２を６０℃で１０分間以下互いに反応させた。次いでポリオールを添加し、そして反応を更に実施例１の工程２の通りに行った。室温で混合及びガス抜き。
工程２:
フィルム（上記の）としてキャスティング、又はポッティング(potting)
【００２４】
ＰＬ−ＰＤＭＳ−ＰＬの上のＯＨ−基のその他反応は周知であり、疎水性ブロックをフィルム形成性ポリマーの中に組み込むのに活用できる。ＰＬ−ＰＤＭＳ−ＰＬについての反応は、後で他のポリマー又はモノマーの中に存在する官能基と反応し得るカップリング剤との反応によって拡大することができる。−ＯＨ官能基を有するモノマー又はプレポリマーに対するカップリングはアルキル又はアリールスルホネート例えば塩化トシルを使用して行うことができ、それはモノマー又はプレポリマー、Ｒ−ＯＨ、と反応し、次いでＰＬ−ＰＤＭＳ−ＰＬのＯＨ−基によって置換されることができる。
【００２５】
アミン、チオール又はアルコール官能基を有するモノマー又はプレポリマーは塩化シアヌルによって活性化されることができ、次いでＰＬ−ＰＤＭＳ−ＰＬにカップリングされる。エポキシ基を有するモノマー又はプレポリマーはＰＬ−ＰＤＭＳ−ＰＬのＯＨ基と直接反応し得る。他のカップリング剤としては、酸無水物例えば無水マレイン酸又はマレイン酸無水物コポリマー、活性エステル例えばＮ−ヒドロキシコハク酸イミド及びカルボン酸のエステル又は様々なカルボジイミドによって活性化されたカルボン酸、が包含される。一般に、広く様々な、かかるカップリング反応が知られており、そして既知の反応条件を使用して疎水性ブロックをフィルム形成性ポリマーの中に組み込むのに活用できる。
【００２６】
実施例３: 血栓形成性の試験／評価
新鮮血ヒト血液を使用してフィルム又は被覆カテーテルチューブの血栓形成性について試験した。血液成分と材料の接触中に、トロンビン生成の指標として、トロンビン‐抗トロンビンIII 複合体（ＴＡＴ）の反応速度論的生成を分析した。トロンビンは血小板のための潜在活性化因子でありフィブリノーゲンをフィブリンに開裂させ最終的には重合網目構造即ち凝塊に導くので、トロンビンは凝固回路における主要成分である。ＴＡＴは商業的に入手可能なＥＬＩＳＡテストによって、製造元（Behring Co. 、独国）の指示通りに、測定された。材料／被覆の比較は改質ポリマーシステムと非改質のポリマーシステムを直接比較して行う。ＴＡＴの加速された反応速度はより生体適合性でない血栓形成性の材料を意味している。
【００２７】
血栓形成度評価の方法論の詳細については、Deppisch R. et al. (1993) Nephrol. Dial. Tansplant Supp. 3 (1994) 17-23 およびTsai et al. (1994) ASAIO J. 40: M619-M624 。
【００２８】
インビトロ分析を新鮮血ヒト全血によって行った。類似の結果即ちＴＡＴの低下は、実施例２、二成分ＰＵＲ添加ＳＭＡ、でも測定された。
【００２９】
【表１】
0004121708.tif 000002
【００３０】
実施例４: Ｓｉ／ＰＤＭＳ表面濃度（ＸＰＳ）
Ｓｉ、ＰＤＭＳ分子の中心成分、の存在を評価するために、蛍光Ｘ線分光法を応用した。使用した技術は前に例えばＰＶＣ−ＳＭＡ混合物について、Tsai et al. (1994) ASAIO J. 40: M619-M624 によって記載された技術である。
【００３１】
３％のＳＭＡ（イソシアネート化合物に対して）を含有する又は含有しないフィルムについて様々なテークオフ角度(take-off angle)（ＴＯＡ）、即ち、１０、４５及び９０°における結果が得られた。テークオフ角度が大きくなると分析のための透過深度(penetration depth) が深くなるということに留意することが重要である。
【００３２】
【表２】
0004121708.tif 000003
【００３３】
これらデータは、ＳＭＡ−ＰＵＲの中のＰＤＭＳ含分の存在に由来するＳｉがＴＯＡの減少と共に増加したことを示しており、それは上記の通りキャストされた時のＳＭＡ−ＰＵＲの濃縮を表している。与えられた例では、約２０倍の濃縮が実現された。この実験はＰＤＭＳの濃縮が表面に起こることを実証している。
【００３４】
【表３】
0004121708.tif 000004
【００３５】
これらデータは最も表面にＳＭＡ−ＰＵＲポリマー鎖が濃縮していることを実証する。
【００３６】
実施例５: 走査電子顕微鏡検査（ＳＥＭ）
クロスカットとして調製されたカテーテル上の、ＳＭＡで改質された又は改質されてないフィルムを、薄いＰｔ／Ａｕ層でスパッター被覆し、そしてフィリップス電子顕微鏡で分析した。図１に示されている通り、約２０μｍのコーティングフィルムが標識「ＳＭＡ−ＰＵＲ被覆」を形成している。被覆方法は最適には約０．１μｍ〜数１００μｍのフィルム厚さの変動を可能にする。更に、ＳＥＭはカテーテル材料へのＢａＳＯ4の添加に起因する小さな白いスポットも確認している。ＢａＳＯ4はＳＥＭにおける電子の放出に変化を与える。図１は血液と接触する表面からのＢａＳＯ4の明らかな隔離を示している。結論として: 被覆された血液接触表面はＢａＳＯ4結晶による荒さを欠いており、ＢａＳＯ4は血液の中へ放出されず、代わりに、ＢａＳＯ4はカテーテル材料内にとどまる。
【００３７】
実施例６: タッピングモード(tapping mode)におけるＡＦＭ写真
分析における次の論点は仮説されたナノドメイン(nano-domains)の確認であった。原子間力顕微鏡（ＡＦＭ）は異なる化学的性質又は物理化学的性質をもつパッチからなるナノ構造を分析するのには最も強力な技術である。
【００３８】
ＡＦＭ分析はカンチレバー(cantilever)の先端に小さな力をもってタッピングモード技術を適用することによって行われた（方法の参考文献: Magonov et al. (1996) in Surface Analysis with STM and AFM, VCH, Weinheim)、図２及び図３を参照。
【００３９】
タッピングにおいてＡＦＭによって撮影または生成された表面写真はナノメートルのサイズ（直径が１０〜１００ｎｍ）の様々なスポットを示している。ハイト像(height image)として規定された写真は一種の深度プロフィールを示しており、他方、フェーズシフト像(phase shift image) として規定された写真は表面の上をカンチレバー又は先端が「引っ掻いている(scratching)」又は「移動している(moving)」（例えば、化学的な力又は異なる軟らかさのせいで）ときのフェーズシフトを示している。明るい領域はより柔らかく親水性である。暗い領域はより高いＰＤＭＳを有し、より硬い。当業者はコーティングポリマーの分子量又は鎖長を変動させることによってナノドメイン形態の横方向の構造を容易に変更することができる。
【００４０】
実施例７: 細菌接着
コポリマーフィルム及びコーテッド試験プレートに対する細菌接着の評価は、ベチャート等の方法によって行った: Bechert,T. et al. (1998), XI版 Aachen Colloquium on Biomaterials, Poster 26 、独国公開ＤＥ１９７５１５８１Ａ１。材料表面への表皮ぶどう球菌(Staphylococcus epidermis)の接着は、材料の表面に接着する細胞に染料を固定させるＥＬＩＳＡ反応を使用する測光法によって定量化された。光学濃度測定は接着細菌の相対定量測定を、標準化された条件下で提供する。
【００４１】
ポリウレタン（ＰＵＲ）フィルムの様々な組合せ、ＰＵＲとＰＬ−ＰＤＭＳ−ＰＬのコポリマーフィルム、コポリマーフィルムで被覆された又は被覆されてないポリウレタン試験プレート、を試験した。
【００４２】
試験プレートはテコフレックス(Tecoflex)ＥＧ６０ＤＢ２０（マサチューセッツ州ウォバーン(Woburn)のThermedics Inc.)、メチレンビス（シクロヘキシル）ジイソシアネート（４０％）とポリテトラメチレンエーテルグリコール（９．６％）と１，４−ジオール連鎖延長剤（３０．４％）から合成された熱可塑性の脂肪族ポリウレタンと共にＸ線不透明度を付与するための硫酸バリウム（２０．０％）から製造された。コーティング材料はフィルムとしてキャストされた又はテコフレック(Tecoflex)試験プレート上に被覆された、実施例１における通り本質的に３５％のデモジュル(Demodur) Ｅ２２と５％のＰＬ−ＰＤＭＳ−ＰＬ（テゴマー(Tegomer) ）と６０％のメチルイソブチルケトン（ＭＩＢＫ）からなる形成された一成分ポリウレタンであった。
【００４３】
試験プレートまたはフィルムを表皮ぶとう球菌(S. epidermis)の生存培養菌に４８時間にわたって曝し、２０分毎に吸光率を読み取った。
【００４４】
結果は図４に示されている。不透明度は、一連の試験の反復実験Ａ〜Ｆについて、横軸の時間に対して縦軸にプロットされている。未被覆プレート（列３）は急速かつ再現可能に接着細菌の密度増加を支持した。同じ時間で、被覆プレートは測定可能な細菌接着を支持しなかった。ポリウレタン単独で形成されたフィルムは測定可能な接着を支持しなかった。ＰＵＲとＰＬ−ＰＤＭＳ−ＰＬのコポリマーフィルムは未被覆試験プレートに比べて同じ不透明度を得るのに細菌の接着を平均で約３０時間は有意に遅らせた。驚くべきことに、表面におけるＰＤＭＳの存在は用量に依存して細菌の接着と増殖を低下させる。
【００４５】
実施例８: 細胞毒性研究
試験プレート材料、フィルムコーティング及びフィルムで被覆された試験プレートの様々な組合せの毒性を細胞成長阻害（ＩＣＧ）を測定することによって評価した。ＩＣＧの測定は、様々な試験材料の水性溶出液をつくり、それから、この溶出液を含有している培地の中で哺乳類成長細胞を培養し、次いで、細胞生存度を中性レッド吸収によって評価することによって、行われた。
【００４６】
ＩＣＧ試験は、完成イーグル(Complete Eagles) ＭＥＭの中で全面成長未満に４８〜７２時間予め成長されたマウス線維芽細胞１５００〜２０００細胞（株Ｌ−９２９）を、９６ウェル(well)組織培養プレートに接種させることによって開始された。プレートを３７℃で２４時間温置した。次いで、媒質を除き、そして試験溶出液を添加した。試験溶出液は試験プレート又はフィルムを蒸留水（試験材料各１０ｃｍ2につき１ｍＬ）の中に７０℃で２４時間温置することによってつくった。
【００４７】
各プレートのために、２５０μＬの０．４％中性レッド溶液を２０ｍＬの完成イーグルＭＥＭと混合した。溶出液温置媒質を除き、そしてウェル当たり２００μＬの中性レッド含有媒質を添加した。次いで、プレートを３７℃で３時間温置した。次いで、溶液を捨て、プレートをＰＢＳ２００μＬ／ウェルで洗浄した。その後、蒸留水中の５０％（ｖ／ｖ）エタノール＋１％（ｖ／ｖ）酢酸の溶液を２００μＬ／ウェルで添加した。１０分後に、各ウェルの、５４０ｎｍにおける吸光度を測定した。ＩＣＧ％は、
【式１】
0004121708.tif 000005
（式中、ＡTは、試験溶液での平均吸光度からブランクでの平均吸光度を差し引いたものであり、Ａkは、対照（細胞なし）の平均吸光度からブランクでの平均吸光度を差し引いたものである）
として計算された。Wieslander et al.(1991) Kidney International 49: 77-79によって記載されている通り、ＩＣＧが＜３０％であれば、材料は非毒性であるとみなされる。
【００４８】
次の材料が使用された:
完成されたイーグルＭＥＭ:
５００ｍＬのイーグルＭＥＭ
５０ｍＬの胎児ウシ血清
５ｍＬの２００ｍＭＬ−グルタミン
５ｍＬの非必須アミノ酸溶液
０．５ｍＬのゲンタマイシン５０ｍｇ／ｍＬ
【００４９】
ＰＢＳ（１０×ストック溶液）:
ＮａＣｌ          ８０ｇ
ＫＣｌ              ２ｇ
ＫＨ2ＰＯ4           ２ｇ
Ｎａ2ＨＰＯ4       １１ｇ
最終体積１０００ｍＬにするＨ2Ｏの中に溶解
このストック溶液は１０倍に希釈され、そしてｐＨを７．２に調節される。
【００５０】
５０％エタノール、１％酢酸の溶液:
５００ｍＬのエタノール（９６％）
４９０ｍＬの水
１０ｍＬの氷酢酸
【００５１】
４％の中性レッドストック溶液:
４ｇの中性レッド（メルク(Merck) Ｎｏ．１３７６）
１００ｍＬの蒸留水
使用前に水で１０倍に希釈される。
【００５２】
平行実験では、未被覆テコフレックス(Tecoflex)カテーテル及びコポリマーフィルムは基準としての水又は生理食塩水に比べて非毒性、即ち、ＩＣＧ＜３０％であった。しかしながら、コポリマーフィルムで被覆されたカテーテル及び試験プレートは毒性であった。デスモジュル(Desmodur)Ｅ２２の代わりにデスモジュル(Desmodur)Ｅ２３に置き換えたら、フィルムとして非毒性であり且つカテーテル又は試験プレートに適用されたときに非毒性であるコポリマーフィルムが得られた。デスモジュル(Desmodur)Ｅ２３は−ＮＣＯ基を１５％含有している。
【００５３】
毒性はコポリマーフィルムを適用する前に試験材料の上にポリオール又はＰＬ−ＳＭＡ−ＰＬの中間層を介在させることによっても減少又は解消された。試験カテーテルは０．１２５％又は１．０％どちらかのＰＬ−ＰＤＭＳ−ＰＬによって、メチル−イソブチルケトンの溶液でのプレコーティングを適用しそして溶剤を除去するために４０℃で硬化することによって、プレコーティングされた。試験カテーテルは次いで、本質的に実施例１に記載の通りのコポリマーでコーティングされた、ただし、コポリマー出発溶液は４５％のデスモジュル(Desmodur)Ｅ２３と５％のＰＬ−ＰＤＭＳ−ＰＬと５０％のＭＢＫであった。データは図５に示されている。中間層なしで被覆されたカテーテルも毒性に関して３０％ＩＣＧ閾値未満であったが、ＰＬ−ＰＤＭＳ−ＰＬ中間層でプレコートされたカテーテルは有意に減少した毒性を有した。従って、毒性は遊離−ＯＨ基を有する中間層を介在させることによるか又はコポリマーフィルムを形成するための迅速に反応する成分を使用することによるかどちらかによって低減できる。どちらの戦略もコポリマーフィルムと被覆されるべき物品を構成している基材ポリマーとの間の反応の可能性を回避又は解消させる。上記のこの多層の概念はポリマーの構成における大きな融通性を可能にする。
【００５４】
実施例９: 哺乳類細胞の非アタッチメント
本発明のコポリマーフィルムによって被覆された物品に哺乳類細胞例えば線維芽細胞が付着し過成長するということがないことは次のようにして実証された: 本発明のコポリマーフィルムによって底面上をプレコートされた組織培養プレートの上で線維芽細胞を培養した。コポリマー表面での成長を、ガラス表面での成長と比較した。ガラス表面にはゲルが成長したが、コポリマー表面には付着又は成長しなかった。本発明のコポリマーフィルム表面で細胞が付着又は増殖しなかったということは、かかる表面は埋め込まれたときにホスト細胞組織の内方成長(ingrowth)又は過成長(overgrowth)によって損傷されることがなさそうであるということを示している。
【００５５】
本発明を本発明の作用原理の具体的態様の例によって説明してきたが、当業者には、一般的知識とここに教示又は示唆されている原理とに従って、他の態様も認識されるであろう。本発明の範囲に包含されるこれらバリエーションには、本発明のコポリマーフィルムを形成するための代替材料、フィルム形成及び／又はコーティングのための代替反応条件、中間層形成のための代替又はそれらの組合せを使用することが包含される。
【００５６】
結果のまとめ
記載のＳＭＡ−ＰＵＲフィルムは下記性質による一連の改良を示す:
１．ＰＬ−ＰＤＭＳ−ＰＬの単純被覆に比べてフィルムの機械的安定性;
２．今まで使用されてきた技術に比べて０．１ｎｍ未満の減少した荒さ;
３．ＡＦＭで証明された５〜１００ｎｍの範囲のマイクロ／ナノドメイン;
４．低減された血栓形成性: より低いＴＡＴ生成反応速度;及び
５．ＥＳＣＡ及びＸＰＳ分析により実証された、表面へのＰＤＭＳの濃縮。
【図面の簡単な説明】
【図１】  Ｘ線コントラスト増強のためにカテーテル材料の中に組み込まれたＢａＳＯ4を有するカテーテルチューブ断面の走査電子顕微鏡写真であり、内側の血液接触表面が一番上になっており、矢印は基礎材料の内面に適用されたＰＵＲ−ＳＭＡフィルムを指している。
【図２】  単成分ＰＵＲ（上の列）と、ＰＵＲ−ＳＭＡフィルムで被覆されたＰＵＲの走査原子間力顕微鏡写真であり、左側はハイト(height)バリエーションを、そして右側はプローブ先端の引きづりに関連したフェーズ(phase) バリエーションを示し、明と暗の領域は異なる物理化学的特性を有しており、明るい領域はより軟らかい親水性表面特性を表し、暗い領域は比較的硬く疎水性でＰＤＭＳの高表面濃度に関連している表面を表している。
【図３】  ２成分ＰＵＲ（上の列）の表面と、ＳＭＡをもった２成分ＰＵＲの被覆の表面を比較する原子間力顕微鏡写真であり、ハイト像とフェーズ像、それぞれ、左側と右側は図２の説明と同じである。
【図４】  被覆されてない（列３）及びＰＵＲ−ＰＬ−ＰＤＭＳ−ＰＬフィルム（列２）及びＰＵＲ（列５）及びＰｕｌ−ＰＬ−ＰＤＭＳ−ＰＬコポリマー（列６）のフィルム類で被覆されたポリウレタン試験プレート類についての細菌の転移増殖を示し、横軸に時間（最大２４時間）、縦軸に５７８ｎｍにおける不透明度をとり、縦軸に沿った文字は別個の試験プレート類を同定している。
【図５】  上記に及び実施例８に記載されている通りのプレコーティングのある又はない被覆カテーテルの抽出物の細胞毒性（細胞成長阻害）を示す棒グラフである。
【図１】
0004121708.tif 000006
【図２】
0004121708.tif 000007
【図３】
0004121708.tif 000008
【図４】
0004121708.tif 000009
【図５】
0004121708.tif 000010